(57)【要約】【課題】放熱効率に優れるとともに、作業性が向上する照明装置を提供する。【解決手段】放熱板は円弧状に湾曲した面を有しており、複数の伝熱板と、接触板とで、略箱型の断面形状をなしており、ランプカバーは、ランプカバーの内部壁面にランプカバーと一体に形成されると共に、ランプカバーの長手方向に沿い、かつ発光素子の発光方向に対する両側面に設けられる当接部と、発光素子の非発光方向側の面に設けられる凸部と、を有し、ヒートシンクは、放熱板における湾曲した面が凸部に接触可能に形成され、当接部と凸部との間に配置される。【選択図】  図５
2014086264.tif 000002
【特許請求の範囲】
【請求項１】
直線状管体内に設けられた発光素子と、前記発光素子を搭載した複数の基板と、その基板を支持しているヒートシンクと、前記発光素子と前記複数の基板と前記ヒートシンクと、を覆う管形状のランプカバーとを有している直管形照明装置において、
前記ヒートシンクが、前記基板の裏側面に接する接触板と、発光素子で発生した熱を放出する放熱板と、接触板と放熱板に接し、発光素子で発生した熱を接触板から放熱板へ伝える複数の伝熱板とを有し、前記複数の伝熱板は互いに略平行で、それぞれ接触板と略直角に接続しており、
前記放熱板は円弧状に湾曲した面を有しており、前記複数の伝熱板と、前記接触板とで、略箱型の断面形状をなしており、
前記ランプカバーは、該ランプカバーの内部壁面に該ランプカバーと一体に形成されると共に、該ランプカバーの長手方向に沿い、かつ前記発光素子の発光方向に対する両側面に設けられる当接部と、前記発光素子の非発光方向側の面に設けられる凸部と、を有し、
前記ヒートシンクは、前記放熱板における前記湾曲した面が前記凸部に接触可能に形成され、前記当接部と前記凸部との間に配置されることを特徴とする直管形照明装置。
【発明の詳細な説明】
【技術分野】
【０００１】
本発明は、発光素子が直線状管体に収められた照明装置に関する。
【背景技術】
【０００２】
直線状管体を供えた照明装置としては、従来から直管形蛍光ランプが知られているが、長寿命化、省エネルギ化の観点から、ＬＥＤ（Light  Emitting  Diode）や有機エレクトロルミネッセンス（有機ＥＬ）等の発光素子が直線状管体に収められた照明装置が提案されている（例えば、特許文献１等参照）。
【先行技術文献】
【特許文献】
【０００３】
【特許文献１】特許第４８９７８４０号公報
【発明の概要】
【発明が解決しようとする課題】
【０００４】
特許文献１に記載の照明装置では、ＬＥＤの放熱のための金属製の支持手段を透光性を有する筐体に密着可能となるように形成するため、作業性が悪くなる恐れがある。
【０００５】
そこで、本発明が解決しようとする課題は、放熱効率に優れるとともに、作業性が向上する照明装置を提供することである。
【課題を解決するための手段】
【０００６】
直線状管体内に設けられた発光素子と、前記発光素子を搭載した複数の基板と、その基板を支持しているヒートシンクと、前記発光素子と前記複数の基板と前記ヒートシンクと、を覆う管形状のランプカバーとを有している直管形照明装置において、前記ヒートシンクが、前記基板の裏側面に接する接触板と、発光素子で発生した熱を放出する放熱板と、接触板と放熱板に接し、発光素子で発生した熱を接触板から放熱板へ伝える複数の伝熱板とを有し、前記複数の伝熱板は互いに略平行で、それぞれ接触板と略直角に接続しており、前記放熱板は円弧状に湾曲した面を有しており、前記複数の伝熱板と、前記接触板とで、略箱型の断面形状をなしており、前記ランプカバーは、該ランプカバーの内部壁面に該ランプカバーと一体に形成されると共に、該ランプカバーの長手方向に沿い、かつ前記発光素子の発光方向に対する両側面に設けられる当接部と、前記発光素子の非発光方向側の面に設けられる凸部と、を有し、前記ヒートシンクは、前記放熱板における前記湾曲した面が前記凸部に接触可能に形成され、前記当接部と前記凸部との間に配置されることを特徴としている。
【発明の効果】
【０００７】
本発明によれば、放熱効率に優れるとともに、作業性が向上する照明装置を提供できる。
【図面の簡単な説明】
【０００８】
【図１】（ａ）は本発明の実施形態に係る照明装置の底面図であり、（ｂ）は配線カバーを外した照明装置の底面図であり、（ｃ）はランプカバーを透視した照明装置の底面図である。
【図２】（ａ）は、本発明の実施形態に係る照明装置の一部を拡大しランプカバーを透視した底面図であり、（ｂ）は照明装置の基板上に設けられる基板上コネクタと、基板間配線の両端に接続される配線側コネクタとの接続方法を示す模式図である。
【図３】本発明の実施形態に係る照明装置の給電側のダミー口金（配線カバーを外した状態）の周辺を拡大して透視した拡大図である。
【図４】図３のＡ−Ａ方向の矢視断面図である。
【図５】図３のＢ−Ｂ方向の矢視断面図である。
【図６Ａ】ランプカバーとヒートシンクそれぞれの断面図である。
【図６Ｂ】ランプカバーがヒートシンクに挿入する前の状態を示す模式図である。
【図７Ａ】本発明の実施形態に係る照明装置が、既設器具に設けられた兼用ソケットに係止され、給電ケーブルが給電側のダミー口金に設けられた溝内に収められ、照明装置（の装置側コネクタ）に電源側コネクタが接続されていない状態を示す模式図である。
【図７Ｂ】図７Ａに示した状態から、さらに照明装置（の装置側コネクタ）に電源側コネクタが接続した状態を示す模式図である。
【図７Ｃ】図７Ｂに示した状態から、さらに配線カバーを取り付けた状態を示す模式図である。
【図８】図７Ｃの配線カバーの位置で照明装置を切断した断面図である。
【図９Ａ】本発明の実施形態に係る照明装置を２灯搭載する既設器具の模式図（その１）である。
【図９Ｂ】本発明の実施形態に係る照明装置を２灯搭載する既設器具の模式図（その２）である。
【発明を実施するための形態】
【０００９】
次に、本発明の実施形態について、適宜図面を参照しながら詳細に説明する。なお、各図において、共通する部分には同一の符号を付し重複した説明を省略する。
【００１０】
図１（ａ）に、本発明の実施形態に係る照明装置１の底面図を示す。通常、照明装置１は、建物の天井等の人間の目の高さよりも高い位置に設置され、人間からは照明装置１の底面が見えていることになる。したがって、図１（ａ）では、通常、人間から見える面の底面側を記載している。図１（ａ）に示すように、照明装置１は、照明光が放射される直線状管体４と、直線状管体４の両端を塞ぐ一対の有底円筒部２ｃ、３ａとを有している。有底円筒部３ａの底面には、係止部３ｂが設けられ、有底円筒部３ａと係止部３ｂとでダミー口金（非給電側）３が構成されている。有底円筒部２ｃの底面には、係止部２ｄが設けられ、有底円筒部２ｃと係止部２ｄと配線カバー２ａとでダミー口金（給電側）２が構成されている。ダミー口金（給電側）２の係止部２ｄと、ダミー口金（非給電側）３の係止部３ｂとによって、従来の直管蛍光ランプを取り付け可能な既設器具に、取り付け可能になっている。
【００１１】
図１（ｂ）に、ダミー口金（給電側）２から配線カバー２ａ（図１（ａ）参照）を外した状態の照明装置１の底面図を示す。装置側コネクタ６は、ダミー口金（給電側）２の有底円筒部２ｃの側部に設けられている。装置側コネクタ６には、給電端子６ａ、６ｂが設けられ、外部の電源から電力を供給する電源側コネクタが接続される。詳細は後記するが、電源側コネクタは、装置側コネクタ６に、有底円筒部２ｃの径方向から差し込んで接続することができる。ダミー口金（給電側）２の有底円筒部２ｃの側部に周方向に沿って、溝５ａ、５ｂが設けられている。溝５ａ、５ｂは、装置側コネクタ６の両側に設けられている。
【００１２】
図１（ｃ）に、直線状管体４のランプカバー１３を透視した状態の照明装置１の底面図を示す。直線状管体４の底面側には、ランプカバー１３が設けられている。ランプカバー１３は、照明光を透過させる。その照明光は、ＬＥＤや有機エレクトロルミネッセンス等の発光素子８から放射される。なお、本実施形態の例では、発光素子８として、ＬＥＤを用いている。発光素子８は、複数（図１（ｃ）の例では４枚）の基板７（７１、７２、７３、７４）の表面に設けられている。複数の基板７（７１、７２、７３、７４）は、ヒートシンク１４に支持され、直線状管体４の長手方向に沿って一列に配列されている。複数の基板７（７１、７２、７３、７４）は、下面視（底面図に対応させている）で、直線状管体４の長手方向に沿って長辺を有する長方形をしており、互いに隣接する基板７（７１、７２、７３、７４）の長方形の短辺同士が対向している。複数の基板７（７１、７２、７３、７４）のそれぞれには、複数の発光素子８と、発光素子８に接続する基板上コネクタ９（９１、９２、９３、９４、９５、９６）とが設けられている。基板上コネクタ９（９１、９２、９３、９４、９５、９６）は、前記短辺の近傍に設けられている。隣り合う基板７（７１、７２、７３、７４）の基板上コネクタ９（９１、９２、９３、９４）は、基板間配線１０ａ、１０ｂで接続されている。これにより、複数の基板７（７１、７２、７３、７４）上の複数の発光素子８全てを、直列又は並列又はそれらを組み合わせた接続形態に接続することができる。基板７（７１）の基板上コネクタ９（９５、９６）は、装置側コネクタ６の給電端子６ａ、６ｂと、基板コネクタ間配線１１ａ、１１ｂによって接続されている。これにより、複数の基板７（７１）さらには、基板７（７２、７３、７４）上の発光素子８全てを、装置側コネクタ６に接続することができる。
【００１３】
図２（ａ）に、本発明の実施形態に係る照明装置１の一部を拡大しランプカバー１３を透視した底面図を示す。図２（ａ）と図１（ｃ）に示すように、複数の発光素子８の大半は、基板７（７１、７２、７３、７４）の長方形の長手方向に沿った中心軸上に中心がくるように配置されている。ただ、例外的に、基板上コネクタ９（９１、９２、９３、９４）の近傍（側方）に設けられた発光素子８（８１、８２、８３、８４）は、その中心軸の一直線上からずれている。具体的には、図２（ａ）に示すように、基板上コネクタ９１と９３が、基板間配線１０ａで接続されている。基板上コネクタ９１と９３は、発光素子８１、８３に対して同じ側（図２（ａ）の例では上側）に配置されている。その発光素子８１、８３の中心は、基板７（７１、７２）の長方形の長手方向に沿った中心軸の一直線上からずれて、図２（ａ）の例ではその中心軸の下側に配置されている。一方、基板上コネクタ９２と９４は、基板間配線１０ｂで接続されている。基板上コネクタ９２と９４は、発光素子８２、８４に対して同じ側（図２（ａ）の例では下側）に配置されている。その発光素子８２、８４の中心は、基板７（７１、７２）の長方形の長手方向に沿った中心軸の一直線上からずれて、図２（ａ）の例ではその中心軸の上側に配置されている。長手方向の中心軸を挟んで対向に配置された一対の基板上コネクタ９１と９２、及び、９３と９４は長手方向に配置がずらしてある。さらに、基板７（７２、７３）の両端近傍部にそれぞれ設けた基板上コネクタ９１と９３、及び９２と９４の配置は、それぞれ対になる基板上コネクタ９１と９２、９３と９４のずらしている配置が長手方向に対して同じ方向で略同じ位置関係となるように配置している。前記のように配置することで、基板７（７１、７２、７３、７４）の短辺を長くすることなく、ヒートシンク１４（基板７（７１、７２、７３、７４）の端面（長辺））から基板上コネクタ９（９１、９２、９３、９４）までの距離を所定値以上に確保でき、かつ、発光素子８（８１、８２、８３、８４）から基板上コネクタ９（９１、９２、９３、９４）までの距離を所定値以上に確保できる。
【００１４】
図２（ｂ）に、基板上コネクタ９（９１、９２、９３、９４）と、基板間配線１０ｂ（１０ａ）の接続方法を示す。基板間配線１０ａ、１０ｂの両端には、配線側コネクタ１０ｃが接続されている。この配線側コネクタ１０ｃを、基板上コネクタ９（９１、９２、９３、９４）の開口９ａに差し込み基板上コネクタ９の長手方向（矢印方向）にスライドさせることで、基板上コネクタ９（９１、９２、９３、９４）と、基板間配線１０ａ、１０ｂとは、接続される。これにより、基板７（７１、７２、７３、７４）同士の電気的な接続を、簡便かつ迅速に行うことができる。なお、基板上コネクタ９（９１、９２、９３、９４）の長手方向は、基板７（７１、７２、７３、７４）の長方形の長手方向と平行になっている。
【００１５】
図３に、配線カバー２ａ（図１（ａ）参照）を外した状態の給電側のダミー口金２の周辺を、拡大かつ透視して示す。図３と図１（ｃ）に示すように、複数の発光素子８の大半は、基板７（７１）の長方形の長手方向に沿った中心軸上に中心がくるように配置されている。ただ、例外的に、基板上コネクタ９（９５）の近傍（側方）に設けられた発光素子８（８５）は、その中心軸の一直線上からずれている。具体的には、図３に示すように、基板上コネクタ９５と、装置側コネクタ６の給電端子６ｂが、基板コネクタ間配線１１ｂで接続されている。発光素子８５の中心は、基板７（７１）の長方形の長手方向に沿った中心軸の一直線上からずれて、図３の例ではその中心軸の上側に配置されている。前記のように配置することで、基板７（７１）の短辺を長くすることなく、ヒートシンク１４（基板７（７１）の端面（長辺））から基板上コネクタ９（９５）までの距離を所定値以上に確保でき、かつ、発光素子８（８５）から基板上コネクタ９（９５）までの距離を所定値以上に確保できる。
【００１６】
また、基板上コネクタ９６と、装置側コネクタ６の給電端子６ａが、基板コネクタ間配線１１ａで接続されている。基板上コネクタ９（９５、９６）と、基板コネクタ間配線１１ｂ（１１ａ）の接続方法は、図２（ｂ）に示した基板上コネクタ９（９１、９２、９３、９４）と、基板間配線１０ｂ（１０ａ）の接続方法と同様に、基板コネクタ間配線１１ｂ（１１ａ）の一端に接続された配線側コネクタ１０ｃを、基板上コネクタ９（９５、９６）の開口９ａに差し込み基板上コネクタ９（９５）の長手方向にスライドさせる。これにより、装置側コネクタ６と基板７（７１）の電気的な接続を、簡便かつ迅速に行うことができる。なお、基板上コネクタ９（９５）の長手方向は、基板７（７１）の長方形の長手方向と平行になっている。一方、基板上コネクタ９（９６）の長手方向は、基板７（７１）の長方形の長手方向と平行になっておらず傾いている。更には、直角になってもよく、直角を超えて傾いてもよい。より好ましくは、基板コネクタ９（９６）の挿入するスライド方向が図３に指名しているように、装置側コネクタ６に対向し、なおかつ、基板の長手方向に対して外向きの方向に傾く方向に設けることで、装置側コネクタ６から接続されたコネクタ間配線１１ａの挿入がより容易にすることができる。基板上コネクタ９（９６）は、基板上コネクタ９（９５）や、発光素子８（８５）よりも、基板７（７１）の長方形の短辺の近くに配置されている。基板７（７１、７２、７３、７４）の配置される直線状管体４の内部空間と、装置側コネクタ６の配置される空間とは、隔壁１２で仕切られている。このため、基板コネクタ間配線１１ａ、１１ｂは、隔壁１２の周辺部に設けられた配線ガイド孔１２ａ、１２ｂ内を通されている。基板上コネクタ９（９６）の長手方向は、基板７（７１）の長方形の長手方向と平行になっておらず傾いているので、基板コネクタ間配線１１ａを無理に曲げることなく基板上コネクタ９（９６）に接続することができる。また、この傾いていることで、発光素子８（８５）を基板７（７１）の長方形の短辺に近づけて配置でき、発光素子８の基板７（７１）上に配置できる範囲を広げることができる。
【００１７】
図４に、図３のＡ−Ａ方向の矢視断面図を示す。装置側コネクタ６は、天地方向の地面方向を向けて設けられている。装置側コネクタ６は、ダミー口金最外周面２ｂより内側に配置されている。装置側コネクタ６の両側に、溝５ａ、５ｂが設けられている。溝５ａ、５ｂの溝底面５ｃは、径方向の外側方向に凸に湾曲している。溝５ａ、５ｂの深さは、装置側コネクタ６から離れるほど浅くなっている。溝５ａ、５ｂそれぞれの一端は、装置側コネクタ６の近傍に配置され、溝５ａ、５ｂのそれぞれの他端は、ダミー口金最外周面２ｂ（有底円筒部２ｃの側部）上の天井側に達し、その天井側において互いに対向している。
【００１８】
図５に、図３のＢ−Ｂ方向の矢視断面図を示す。直線状管体４は、天地方向における地面側に設けられるランプカバー１３と、天井側に設けられるヒートシンク１４とを有している。直線状管体４内には、発光素子８が表面側に設けられた基板７が配置されている。基板７は、表面側を下にした状態で、ヒートシンク１４に支持されている。ランプカバー１３は、発光素子８が発した照明光を、一部を反射、散乱させながら透過させ、外部に均一に分散させて照射する。ランプカバー１３には、地面側に円弧状に湾曲した面を有する円弧部１３ｃと、円弧部１３ｃの両端に設けられヒートシンク１４の鉤部１４ｇの先端部に当接する当接部１３ｂと、円弧部１３ｃにおける当接部１３ｂの間に設けられヒートシンク１４の伝熱板１４ｃの外側に当接する凸部１３ａと、が形成されている。
【００１９】
又、ランプカバー１３は発光素子８が発した照射光を外部に照射させればよい。ランプカバー１３の透明度を上げる（より透明にする）と、ランプとしての光束が上がる。反対に、ランプカバー１３の透明度を下げると照射範囲が広がる。本実施例において、凸部１３ａは、図５における天地方向の天井側に２本設けられている。２本の凸部１３ａは、ランプカバー１３の一方の開口端部から他方の開口端部まで間隔Ｗ１を保ちながら設けられている。ヒートシンク１４は、ランプカバー１３内において、凸部１３ａと当接部１３ｂと接触し、保持されている。隣り合う接触箇所の間隔が均等であれば保持の状態におけるガタつきの抑制と安定性の向上の効果を奏する。凸部１３ａは、断面が略半円形状であるがこの限りではなく、ヒートシンク１４の円弧部１３ｃの湾曲した面に沿うような形状としても良い。
【００２０】
ヒートシンク１４は、基板７の裏面側に設けられている。ヒートシンク１４は、基板７の裏面の全面に接する接触板１４ａと、外気に露出し発光素子８で発生した熱を外気に放出する放熱板１４ｂと、接触板１４ａと放熱板１４ｂに接し、発光素子８で発生した熱を接触板１４ａから放熱板１４ｂへ伝える複数の伝熱板１４ｃ、１４ｄ、１４ｅとを有している。接触板１４ａの両端部は折れ曲がり、基板７の両端部を支持している。放熱板１４ｂは、天地方向の天井側に円弧状に湾曲した面を有している。この面には、複数の尾根（溝）が周方向に連なったような凹凸が形成され、外気への露出面積を大きくし放熱効率を高めている。複数の伝熱板１４ｃ、１４ｄ、１４ｅは、互いに平行で、それぞれ、接触板１４ａと直角に接続している。接触板１４ａと、放熱板１４ｂと、伝熱板１４ｃ、１４ｄとにより、断面が略箱型の筒形状を構成しているので、直線状管体４の軸方向のたわみを抑えることができる。そして、この筒形状の内側に設けられた伝熱板１４ｅは、梁として機能し、直線状管体４の軸方向のたわみをさらに抑えることができる。伝熱板１４ｅには、湾曲した補強部１４ｆが設けられ、直線状管体４の軸方向のたわみをさらに抑えることができる。ただし、複数の伝熱板１４ｃ、１４ｄ、１４ｅと、接触板１４ａとは、たわみを抑えるように接続されていれば、直角でなくても良い。
【００２１】
放熱板１４ｂの両端には、前記鉤部１４ｇが設けられている。
【００２２】
また、当接部１３ｂの下端の高さＨ２は、接触板１４ａの上端の高さＨ３より高くなっている（Ｈ２＞Ｈ３）。そして、伝熱板１４ｃ、１４ｄの突部１４ｈ付近の一部は、円弧部１３ｃの一部と対向している。これらにより、この伝熱板１４ｃ、１４ｄの突部１４ｈ付近の一部と、円弧部１３ｃの一部とで挟まれたスペース１５が生じている。このスペース１５によって、照明光は天地方向の天井方向寄りの方向にも照射可能になっている。そして、この照射の傾向は、接触板１４ａの上端の高さＨ３を低くする、すなわち、基板７の高さを低くする（地の方に近づける）ことで、強くすることができるが、発光素子８がランプカバー１３に近接しすぎると、ランプカバー１３で十分な光の拡散効果が得られず、発光素子８の一つ一つの光が強調されるため、従来の蛍光管のように前面が光るのではなく、粒々の光り方になってしまう。したがって、直線状管体４内における基板７の高さを調節することで、照明光の照射強度のプロファイルを所望のプロファイルに変更することができるが、室内を明るく感じさせる天井方向への光と、ランプカバー１３の光り方を好適にするためには、接触板１４ａの上端の高さＨ３が直管外径の１／３以上、もしくは２／３以下であることが望ましい。接触板１４ａの上端の高さＨ３が直管外径の１／３以上、もしくは２／３以下とすると、室内を明るく感じさせる天井方向への光と、ランプカバー１３の光り方を好適にすることができるという効果を奏する。
【００２３】
また、伝熱板１４ｃ、１４ｄの突部１４ｈ付近の一部と、円弧部１３ｃの一部とで挟まれたスペース１５も天井方向への光の広がりにおける重要な因子であり、好適な天井方向への光の広がりを得るためのスペース１５を構成するためには、伝熱板１４ｃ、１４ｄの高さと、接触板１４ａの幅寸法の比率が、１：３から１：１の間であることが望ましい。伝熱板１４ｃ、１４ｄの高さと、接触板１４ａの幅寸法の比率が、１：３から１：１の間とすると、好適な天井方向への光の広がりを得るためのスペース１５を構成することができるという効果を奏する。
図６Ａに、ランプカバー１３とヒートシンク１４それぞれの断面図を示す。図６Ｂに、ランプカバー１３をヒートシンク１４に挿入する前の状態を示す。
【００２４】
ランプカバー１３をヒートシンク１４に挿入する手順は以下の通りである。図６Ｂに記載のように、凸部１３ａがある側を下向きとし、凸部１３ａにヒートシンク１４を乗せ、当接部１３ｂが鉤部１４ｇに添うように軸方向にスライドさせる。当接部１３ｂは、挿入時はランプカバー１３にヒートシンク１４をバランス良く挿入する効果を奏し、挿入後はランプカバー１３内におけるヒートシンク１４の天地方向を固定する効果を奏する。凸部１３ａは、ランプカバー１３内にヒートシンク１４を挿入する際に挿入しやすくし、作業性を向上させる効果を奏する。また、凸部１３ａを設けることによりランプカバー１３とヒートシンク１４との接触面積が小さくなるため、ランプカバー１３をヒートシンク１４を挿入する時などに、ランプカバー１３内部の接触する面が削られる形となって生ずる粉末の量を軽減する効果を奏する。また、凸部１３ａと当接部１３ｂとにより挿入後はランプカバー１３とヒートシンク１４とのガタつきの抑制と安定性の向上の効果を奏する。なお、本実施例では凸部１３は直線状に２本設けるよう記載されているが、作業性が向上すれば良く凸部１３の形状、本数はこの限りでない。凸部１３ａの本数が多くなると、ガタつき防止効果が向上する。なお、本実施例では２本の凸部１３ａは、ランプカバー１３の一方の開口端部から他方の開口端部まで設けられているがこの限りでない。ランプカバー１３内にヒートシンク１４を挿入する際の作業性工場であれば、少なくともランプカバー１３の一方の開口端部近傍にのみ設けられていても効果を奏する。
【００２５】
このように、直線状管体内４に設けられた発光素子８と、前記発光素子８を搭載した複数の基板７と、その基板７を支持しているヒートシンク１４と、発光面側に設けられるランプカバー１３を有し、ヒートシンク１４とランプカバー１３の組合せにより直線状管体４を構成している直管形照明装置１において、ヒートシンク１４の両端に第１鉤部１４ｇが設けられ、ヒートシンク１４に設けられた伝熱板１４ｃ、１４ｄと第１鉤部１４ｇとの間に設けられた空間部に、ヒートシンク１４とランプカバー１３が係止されていることで、放熱効率に優れ、なおかつ、ヒートシンク１４と、ランプカバー１３との係合組立を容易になすことができ、かつ、前記ランプカバー１３の外れを防止するという効果を奏する。
【００２６】
図７Ａに、本発明の実施形態に係る照明装置１を、直管形蛍光ランプと兼用の既設器具２２（トラフ形）に設けられた兼用ソケット１６に係止した状態を示す。兼用ソケット１６は、天板１７に取り付けられている。天板１７の兼用ソケット１６の照明装置１側には、天板孔１７ａが設けられている。天板孔１７ａには、外部の電源から電力を供給する給電ケーブル１８が通されている。天板孔１７ａは、溝５ｂの直上の近傍に設けられている。給電ケーブル１８は、溝５ｂを通して、給電端子６ａ、６ｂ（装置側コネクタ６）の直下に導かれる。給電端子６ａ、６ｂ（装置側コネクタ６）は、天板１７には面しない（対向しない）側に設けられている。給電ケーブル１８には電源側コネクタ１９が接続されている。電源側コネクタ１９を、給電端子６ａ、６ｂ（装置側コネクタ６）の近傍に導くことができる。
【００２７】
次に、図７Ａから図７Ｂへの推移として示すように、電源側コネクタ１９が、給電端子６ａ、６ｂ（装置側コネクタ６）に接続される。給電端子６ａ、６ｂ（装置側コネクタ６）が、天板１７には面しない（対向しない）側に設けられているので、電源側コネクタ１９を容易に接続することができる。
【００２８】
最後に、図７Ｃに示すように、配線カバー２ａがダミー口金（給電側）の本体に取り付けられる。配線カバー２ａにより、電源側コネクタ１９は完全に隠されている。また、給電ケーブル１８も照明装置１の直下から見る限り完全に隠すことができ、照明装置１の斜め下から見た場合でも、給電ケーブル１８の上部の一部がのぞくだけで、スッキリとした美観を保つことができる。
【００２９】
図８に、図７Ｃの配線カバー２ａの位置で照明装置１を切断した断面図を示す。給電ケーブル１８は、溝５ｂを通しているが、給電ケーブル１８ａのように、溝５ａを通すこともできる。
【００３０】
図９Ａに、本発明の実施形態に係る照明装置１（１ａ、１ｂ）を２灯搭載する既設器具２０の模式図を示す。既設器具２０は、いわゆる逆富士形の既設器具である。既設器具２０が、天井２３に取り付けられている。既設器具２０の中央部が端部に比べて下がっているので、既設器具２０の中央部側に給電ケーブル１８を配置することで、既設器具２０の端部側に給電ケーブル１８を配置するよりも、給電ケーブル１８を目立たなくすることができる。すなわち、照明装置１（１ａ）では、溝５ａに給電ケーブル１８を通し、照明装置１（１ｂ）では、溝５ｂに給電ケーブル１８を通すことで、給電ケーブル１８を目立たなくでき、スッキリとした美観を保つことができる。
【００３１】
図９Ｂに、本発明の実施形態に係る照明装置１（１ａ、１ｂ）を２灯搭載する既設器具２１の模式図を示す。既設器具２１は、いわゆる傘を有する既設器具である。既設器具２１は、天井２３に取り付けられている。既設器具２１の端部には傘は取り付けられ、傘が天板（天井）１７から下がってきている。このため、既設器具２１の端部側に給電ケーブル１８を配置することで、既設器具２１の中央部側に給電ケーブル１８を配置するよりも、給電ケーブル１８を目立たなくすることができる。すなわち、照明装置１（１ａ）では、溝５ｂに給電ケーブル１８を通し、照明装置１（１ｂ）では、溝５ａに給電ケーブル１８を通すことで、給電ケーブル１８を目立たなくでき、スッキリとした美観を保つことができる。
【符号の説明】
【００３２】
１  照明装置
２  ダミー口金（給電側）
２ａ  配線カバー
２ｂ  ダミー口金最外周面
２ｃ、３ａ  有底円筒部
２ｄ、３ｂ  係止部
３  ダミー口金（非給電側）
４  直線状管体
５ａ、５ｂ  溝
５ｃ  溝底面
６  装置側コネクタ（オスコネクタ）
６ａ、６ｂ  給電端子
７、７１、７２、７３、７４  基板
８  発光素子（ＬＥＤ）
９、９１、９２、９３、９４、９５、９６  基板上コネクタ
１０ａ、１０ｂ  基板間配線
１０ｃ  配線側コネクタ
１１ａ、１１ｂ  基板コネクタ間配線
１２  隔壁
１２ａ、１２ｂ  配線ガイド孔
１３  ランプカバー
１３ａ  凸部
１３ｂ  当接部
１３ｃ  円弧部
１４  ヒートシンク
１４ａ  接触板
１４ｂ  放熱板
１４ｃ、１４ｄ、１４ｅ  伝熱板
１４ｆ  増強部
１４ｇ  鉤部
１４ｈ  突部
１５  スペース
１６  兼用ソケット
１７  天板
１７ａ  天板孔
１８  給電ケーブル
１９  電源側コネクタ（メスコネクタ）
２０、２１、２２  既設器具
２３  天井
【図１】
2014086264.tif 000003
【図２】
2014086264.tif 000004
【図３】
2014086264.tif 000005
【図４】
2014086264.tif 000006
【図５】
2014086264.tif 000007
【図６Ａ】
2014086264.tif 000008
【図６Ｂ】
2014086264.tif 000009
【図７Ａ】
2014086264.tif 000010
【図７Ｂ】
2014086264.tif 000011
【図７Ｃ】
2014086264.tif 000012
【図８】
2014086264.tif 000013
【図９Ａ】
2014086264.tif 000014
【図９Ｂ】
2014086264.tif 000015